(57)【要約】【課題】円筒状マグネット片端面の凹陥状口に注入して硬化した接着剤硬化塊だけで十分な固着強度が得られる構造のマグネットロータの提供。【解決手段】マグネットロータは、片端面に形成された凹陥空部１２の中央で貫通した軸孔１４を持つ円筒状マグネット１０と、軸孔１４に嵌挿したシャフト２０と、凹陥空部１２内のシャフト部分を接着剤で埋めて硬化した接着剤硬化塊３０とを有する。円筒状マグネット１０は、凹陥空部１２内でシャフト部分の周り方向に３つの分割空部１２ａを区画する仕切り凸部１２ｂを一体的に有し、接着剤硬化塊３０は分割空部１２ａ毎に接着剤が溜って硬化した根張り部３２を一体的に有する。【選択図】      図４
2010288411.tif 000002
【特許請求の範囲】
【請求項１】
少なくとも片端面に形成された凹陥空部の中央で貫通した軸孔を持つ円筒状マグネットと、前記軸孔に嵌挿したシャフトと、前記凹陥空部内のシャフト部分を接着剤で埋めて硬化した接着剤硬化塊とを有するマグネットロータにおいて、前記円筒状マグネットは、前記凹陥空部内で前記シャフト部分の周り方向に複数の分割空部を区画する仕切り凸部を一体的に有し、前記接着剤硬化塊は前記分割空部毎に前記接着剤が溜って硬化した根張り部を一体的に有することを特徴とするマグネットロータ。
【請求項２】
請求項１に記載のマグネットロータにおいて、前記円筒状マグネットは、前記シャフト部分の周面とこれに臨む前記仕切り凸部の内側面との間に接着剤流通隙間を有し、前記接着剤硬化塊は、前記接着剤流通隙間に溜って隣接する前記根張り部同士を連結する連結部とを一体的に有することを特徴とするマグネットロータ。
【請求項３】
請求項１又は請求項２に規定するマグネットロータを備えて成ることを特徴とするＰＭ型ステッピングモータ。
【発明の詳細な説明】
【技術分野】
【０００１】
本発明は、ＰＭ型ステッピングモータなどに用いるマグネットロータに関する。
【背景技術】
【０００２】
特許文献１に記載のマグネットロータは、軸孔が貫通した円筒状マグネットの片端面に軸孔に連通するすり鉢状の凹陥空部を形成し、周面に点状または線状に接着剤を塗布したシャフトを凹陥空部を介して軸孔に嵌挿し、軸孔から外へはみ出した接着剤は凹陥空部内に残留して硬化した接着剤硬化塊となっている。シャフトと軸孔とをすき間嵌めとすると、シャフトと軸孔内周面との隙間に接着剤が介在することになり、しかも、はみ出し接着剤が接着剤硬化塊としてシャフト部分を埋め込むため、十分な固着力を得ることができる。
【先行技術文献】
【特許文献】
【０００３】
【特許文献１】実開平４−９７４４５（図１，図２）
【発明の概要】
【発明が解決しようとする課題】
【０００４】
しかしながら、上記のマグネットロータにおいては、シャフトと軸孔とがすき間嵌めであるため、シャフトと軸孔内周面との隙間に接着剤が偏在し、シャフト中心と軸孔中心との不整合が生じ易く、そのため心合わせ用の治具等を必要とするなど、作業性の悪さを招く。ここで、シャフトと軸孔とを締まり嵌めとした場合、軸孔内に接着剤が入らず、凹陥空部内にのみ接着剤を充填したものとなるため、十分な接着面積が確保できず、接着剤硬化塊の接着界面が剥離し易く、円筒状マグネットとシャフトとの固着力を十分に得ることはできない。
【０００５】
そこで、本発明の課題は、上記問題点を解決するものであり、円筒状マグネット片端面の凹陥空部に注入して硬化した接着剤硬化塊だけで十分な固着強度が得られる構造のマグネットロータを提供することにある。
【課題を解決するための手段】
【０００６】
本発明は、少なくとも片端面に形成された凹陥空部の中央で貫通した軸孔を持つ円筒状マグネットと、軸孔に嵌挿したシャフトと、凹陥空部内のシャフト部分を接着剤で埋めて硬化した接着剤硬化塊とを有するマグネットロータにおいて、円筒状マグネットは、凹陥空部内でシャフト部分の周り方向に複数の分割空部を区画する仕切り凸部を一体的に有し、接着剤硬化塊は分割空部毎に接着剤が溜って硬化した根張り部を一体的に有することを特徴とする。
【０００７】
接着剤硬化塊が複数の根張り部を持つことにより接着面積が拡大すると共に、仕切り凸部が接着剤硬化塊に対し回り止め作用を発揮するため、十分高い固着強度を得ることができる。
【０００８】
円筒状マグネットは、シャフト部分の周面とこれに臨む仕切り凸部の内側面との間に接着剤流通隙間を有し、接着剤硬化塊は、この接着剤流通隙間に溜って隣接する根張り部同士を連結する連結部を一体的に有する。円筒状マグネットの軸孔にシャフトを嵌挿した後、１つの分割空部内に接着剤を注入するだけで、接着剤流通隙間を介してすべての分割空部内に接着剤を行き渡らすことができ、しかも、シャフト部分の周面に対する接着剤流通隙間に溜る連結部による接着力の方がシャフト部分の周面に対する仕切り凸部の内側面の当接摩擦力よりも相当強くなるため、十分高い固着強度を得ることができる。
【０００９】
なお、マグネットロータはＰＭ型ステッピングモータに用いることが望ましい。
【発明の効果】
【００１０】
本発明によれば、円筒状マグネット片端面の凹陥状口に注入して硬化した接着剤硬化塊だけで十分な固着強度が得られる構造のマグネットロータを提供できる。
【図面の簡単な説明】
【００１１】
【図１】（Ａ）は本発明の一実施例において接着剤注入前のマグネットロータを示す斜視図、（Ｂ）は同マグネットロータの縦断面図である。
【図２】（Ａ）は同マグネットロータにおける円筒状マグネットを示す斜視図、（Ｂ）は同円筒状マグネットの縦断面図である。
【図３】同マグネットロータにおいて円筒状マグネットにシャフトを嵌挿した状態で逆切頭円錐状の凹陥空部の近傍部分を拡大して示す縦断面図である。
【図４】同凹陥空部に接着剤を注入して硬化した状態を示す縦断面図である。
【発明を実施するための形態】
【００１２】
次に、本発明の実施形態を添付図面に基づいて説明する。
【００１３】
本例のＰＭ型ステッピングモータ用のマグネットロータは、円筒状マグネット１０及びシャフト２０から成り、図１に示す如く、円筒状マグネット１０は、片端面に形成された逆切頭円錐状の凹陥空部１２と、この凹陥空部１２の中央で貫通した軸孔１４と、凹陥空部１２内の底面とテーパ面から一体的に隆起しており、軸孔１４の周り３方の分割空部１２ａを区画する仕切り凸部１２ｂとを有する。仕切り凸部１２ｂの隆起高さは凹陥空部１２内に収まっている。図１及び図３に示す如く、シャフト２０は円筒状マグネット１０の軸孔１４に嵌挿しており、凹陥空部１２内のシャフト部分の周面とこれに臨む仕切り凸部１２ｂの内側面との間に接着剤流通隙間Ｇを残してある。
【００１４】
図３に示す状態において、いずれか１つの分割空部１２ａに例えば紫外線硬化型接着剤を注入すると、接着剤が接着剤流通間隙Ｇを介して他の２つの分割空部１２ａ内へ行き渡り、図４に示す如く、凹陥空部１２内で仕切り凸部１２ｂの高さを越えたレベルまで充填される。この後、紫外線を照射すると、凹陥空部１２内でシャフト部分を埋めて硬化した接着剤硬化塊３０は、分割空部１２ａ内で硬化した根張り部３２と、接着剤流通間隙Ｇ内で硬化し隣接する根張り部３２同士を連結する連結部３４とを有する。
【００１５】
このように本例においては、接着剤硬化塊３０が３つの根張り部３２を持つことにより接着面積が拡大すると共に、仕切り凸部１２ｂが接着剤硬化塊３０に対し回り止め作用を発揮するため、十分高い固着強度を得ることができる。
【００１６】
円筒状マグネット１０は、シャフト部分の周面とこれに臨む仕切り凸部１２ｂの内側面との間に接着剤流通隙間Ｇを有し、接着剤硬化塊３０は、この接着剤流通隙間Ｇに溜って隣接する根張り部３２同士を連結する連結部３４を一体的に有する。円筒状マグネット１０の軸孔１４にシャフトを嵌挿した後、１つの分割空部１２ａ内に接着剤を注入するだけで、接着剤流通隙間Ｇを介してすべての分割空部１２ａ内に接着剤を行き渡らすことができ、しかも、シャフト部分の周面に対する接着剤流通隙間Ｇに溜る連結部３４による接着力の方がシャフト部分の周面に対する仕切り凸部１２ｂの内側面の当接摩擦力よりも相当強くなるため、十分高い固着強度を得ることができる。
【００１７】
なお、接着剤としては紫外線硬化型接着剤に限らず熱硬化型接着剤などを用いることができる。また、凹陥空部１２は逆切頭円錐状に限らず、すり鉢状などを採用できる。
【符号の説明】
【００１８】
１０…円筒状マグネット
１２…凹陥空部
１２ａ…分割空部
１２ｂ…仕切り凸部
１４…軸孔
２０…シャフト
３０…接着剤硬化塊
３２…根張り部
３４…連結部
Ｇ…接着剤流通隙間
【図１】
2010288411.tif 000003
【図２】
2010288411.tif 000004
【図３】
2010288411.tif 000005
【図４】
2010288411.tif 000006